(57)【特許請求の範囲】
【請求項１】
蓋体内に収納したベローズポンプを押圧する蓋体内のレバーと、このレバーを蓋体外で操作する操作レバーと、この操作レバーの操作状態をレバーに伝達する蓋体内のアームとを備え、蓋体の後端に固定した取付枠にレバーと操作レバーとの基端側をそれぞれ回動自在に枢着し、レバーの中央近傍にアームの基端側を回動自在に枢着し、操作レバーの操作にてベローズポンプからの加圧空気により内容器内の液体を液体吐出通路を通して外部へ吐出する空気圧利用ポットのレバー操作機構であって、上記操作レバーの収納状態から操作レバーの自由端を起立し、操作レバー、アーム、レバーを係合し、連動させてベローズポンプを押圧可能な状態とする押圧操作工程と、この押圧操作工程中に、操作レバーを下動操作し、ベローズポンプを押下げる操作レバー下動工程と、操作レバーを復帰する操作レバー復帰工程と、この操作レバー復帰工程の操作レバーの自由端を押圧操作工程の操作レバーよりも大きく起立して、操作レバーの基端側端がレバーの基端側端を前方へ押圧摺動するレバー摺動工程と、このレバー摺動工程のレバーの前方摺動に伴ってアームの基端側を蓋体の内側前方へ移動させるアーム移動工程と、アームを操作レバーより離脱するアーム離脱工程と、このアーム移動工程後操作レバーを収納する操作レバー倒伏工程と、この操作レバー倒伏工程の操作レバーの支持桿部がレバーのピン部に当接してアームと共にレバーを後方移動させ、操作レバーを収納状態とするレバー収納工程とからなることを特徴とする空気圧利用ポットのレバー操作機構。
【請求項２】
操作レバーがその自由端の上下動のみにて各工程を操作することを特徴とする前記請求項１記載の空気圧利用ポットのレバー操作機構。
【請求項３】
蓋体上面後部にアームの回動を自在とする挿通口を設けていることを特徴とする前記請求項１記載の空気圧利用ポットのレバー操作機構。
【請求項４】
蓋体の取付枠にレバーの基端側が前後摺動自在とするＬ状透孔を設けていることを特徴とする前記請求項１記載の空気圧利用ポットのレバー操作機構。
【請求項５】
操作レバーは常時倒伏状態を維持するよう取付枠に枢着の操作レバー基端側に操作レバー用バネを設けていることを特徴とする前記請求項１記載の空気圧利用ポットのレバー操作機構。
【請求項６】
操作レバーにはアームの自由端を係止する係止片を設けていることを特徴とする前記請求項１記載の空気圧利用ポットのレバー操作機構。
【請求項７】
アームは常時起立状態を維持するようアーム基端側にアーム用バネを設けていることを特徴とする前記請求項１記載の空気圧利用ポットのレバー操作機構。
【発明の詳細な説明】
【０００１】
【発明の属する技術分野】
本発明は、レバー操作にてポット内の液体を外部へ吐出する空気圧利用ポットのレバー操作機構に関する。
【０００２】
【従来の技術】
従来、空気圧利用ポットのレバー操作機構は、蓋体内に収納したベローズポンプを押圧する蓋体内のレバーと、このレバーを蓋体外で操作する操作レバーと、この操作レバーの操作状態をレバーに伝達する蓋体内のアームとを備え、蓋体の後端に固定した取付枠にレバーと操作レバーとの基端側をそれぞれ回動自在に枢着し、レバーの中央近傍にアームの基端側を回動自在に枢着し、操作レバーの操作にてベローズポンプからの加圧空気により内容器内の液体を液体吐出通路を通して外部へ吐出するようにしたものであった。
【０００３】
【発明が解決しようとする課題】
しかしながら、従来のこの種の空気圧利用ポットのレバー操作機構にあっては、このレバー操作の機構が大変複雑なために、レバーの起立、倒伏並びに起立、倒伏状態の維持がスムーズに働かず、操作性悪く、構造も複雑となり、かつ誤操作を行ったり、十分な吐出ができないという問題があった。
【０００４】
そこで、本発明は、このような従来の空気圧利用ポットのレバー操作機構が有していた課題を解決するために、レバーの操作機構が簡単な構造となると共にレバーの起立、倒伏並びに起立、倒伏状態の維持が非常に容易かつスムーズで、しかも操作レバーの自由端を一本の指のみで上下動させて全ての操作ができるので極めて操作性よく、十分な吐出もできることを目的とした空気圧利用ポットのレバー操作機構を提供することにある。
【０００５】
【課題を解決するための手段】
上記目的を達成するために、本発明の空気圧利用ポットのレバー操作機構は操作レバーの収納状態から操作レバーの自由端を起立し、操作レバー、アーム、レバーを係合し、連動させてベローズポンプを押圧可能な状態とする押圧操作工程と、この押圧操作工程中に、操作レバーを下動操作し、ベローズポンプを押下げる操作レバー下動工程と、操作レバーを復帰する操作レバー復帰工程と、この操作レバー復帰工程の操作レバーの自由端を押圧操作工程の操作レバーよりも大きく起立して、操作レバーの基端側端がレバーの基端側端を前方へ押圧摺動するレバー摺動工程と、このレバー摺動工程のレバーの前方摺動に伴ってアームの基端側を蓋体の内側前方へ移動させるアーム移動工程と、アームを操作レバーより離脱するアーム離脱工程と、このアーム移動工程後操作レバーを収納する操作レバー倒伏工程と、この操作レバー倒伏工程の操作レバーの支持桿部がレバーのピン部に当接してアームと共にレバーを後方移動させ、操作レバーを収納状態とするレバー収納工程とからなる構成としている。又、操作レバーがその自由端の上下動のみにて各工程を操作する構成としている。更に、蓋体上面後部にアームの回動を自在とする挿通口を設けてなる構成としている。更に又、蓋体の取付枠にレバーの基端側が前後摺動自在とするＬ状透孔を設けてなる構成としている。又、操作レバーは常時倒伏状態を維持するよう取付枠に枢着の操作レバー基端側に操作レバー用バネを設けてなる構成としている。更に、操作レバーにはアームの自由端を係止する係止片を設けてなる構成としている。更に又、アームは常時起立状態を維持するようアーム基端側にアーム用バネを設けてなる構成としている。
【０００６】
【発明の実施の形態】
以下、本発明の実施例について図に基づき説明する。
図中、図１は本発明実施例の空気圧利用ポットの縦断面図、図２は本発明実施例のレバー収納工程を示す一部縦概略図、図３は本発明実施例の押圧操作工程を示す一部縦概略図、図４は本発明実施例の操作レバー下動工程を示す一部縦概略図、図５は本発明実施例のアーム離脱工程を示す一部縦概略図、図６は本発明実施例のレバー収納工程のレバー摺動を示す一部縦概略図、図７は本発明実施例の押圧操作工程のレバー摺動を示す一部縦概略図、図８は本発明実施例の操作レバー下動工程のレバー摺動を示す一部縦概略図、図９は本発明実施例のアーム離脱工程のレバー摺動を示す一部縦概略図、図１０は図１のイの拡大図、図１１は本発明実施例の中栓の拡大一部縦断面図、図１２は本発明実施例の要部を示す分解斜視図、図１３は本発明実施例のレバー操作機構を示す分解斜視図である。
【０００７】
ポット１は内容器２と、内容器２を囲んで外装ケース３と、外装ケース３の上端に無理嵌め結合した肩部材４と、外装ケース３の下端に結合した底部材５とを備えたポット本体１aと、肩部材４の中央開口より着脱自在に装着する中栓６と、肩部材４の上端面にベローズポンプ２４内蔵の開閉自在に装着する蓋体７とから構成されている。５０は把手である。
【０００８】
内容器２はガラス又はステンレス等の金属製材料による一重瓶、又は真空二重瓶である。
外装ケース３は薄い鉄板を円筒状にはぜ折りし、上端を内側へ折り曲げ、下部にネジ輪を内嵌めして、内側へカーリングしている。
肩部材４は図１に示すように、中央を開口した略すりばち状の受け皿部と、この受け皿部の突端より下方に垂下した環状嵌合部と、環状嵌合部の後部に後述の蓋体７をヒンジ装着するヒンジ部と、受け皿部前方に突出した嘴部とからなっている。
【０００９】
肩部材４の受け皿部の中央開口は内容器２口元のシールパッキンを介して内容器２内と連通している。
肩部材４の環状嵌合部の外周壁には外装ケース３上端の折り曲げ部分を嵌め込む環状溝を設けている。
肩部材４の嘴部は受け皿部の前面を窪ませて受け皿部の中央開口と連通している。
【００１０】
この嘴部は先端に後述の吐出パイプを挿通する開口を設けており、左，右側壁内側に後述の蓋体７のロック装置のロック爪を係止するロック爪用係止片を設けている。
底部材５は外装ケース３下端内側のネジ輪に螺着するリング状の底板８と、底板８の中央開口に螺着し内容器２を押上げている締上げ部材９とからなっている。
【００１１】
肩部材４のヒンジ部は図１０６及び図１２に示すように、後述の蓋体７のヒンジピンを揺動自在に枢支する溝１０付きのコ字状係止部１１と、このコ字状係止部１１の前面にあって蓋体７のヒンジピンの前方離脱を防ぐ前壁部１２と、このコ字状係止部１１と前壁部１２とを連結し下端より中央を開口した左，右側壁部１３，１３とからなっている。
このヒンジ部にはコ字状係止部１１の溝１０内に装着した蓋体７のヒンジピンの前方移動を規制する上下動自在の止め板１４と、止め板１４をヒンジ部の左，右側壁部１３，１３に上下摺動自在に装着する止め板用バネ板１５とを設けている。この止め板用バネ板１５はヒンジ部の左，右側壁部１３，１３の止め板用バネ板孔４９、４９に両端を差し入れ装着している。
【００１２】
この止め板１４はその上端をヒンジ部のコ字状係止部１１の前面と前壁部１２との間に突出して蓋体７のヒンジピンの前方移動を阻止している。
この蓋体７をヒンジ部より離脱するには、止め板１４を止め板用バネ板１５に抗して押し下げ、ヒンジ部のコ字状係止部１１と前壁部１２との間を広く開けた状態で蓋体７のヒンジピンをコ字状係止部１１の溝１０より前方へ移動させ、このコ字状係止部１１と前壁部１２との開いた上方へ引き上げればよい。
【００１３】
中栓６は図１１に示すように、中栓本体１６と、中栓本体１６下面を覆う中栓用下蓋１７と、中栓本体１６内の液体通路アを形成する上部内筒１８と、内容器２内の液体を上部内筒１８内に圧送する揚水パイプ１９と、上部内筒１８内の液体をポット１前方外部へ吐出する吐出パイプ２０と、上部内筒１８下端に連結し中栓用下蓋１７にて押し上げられている下部内筒２１とからなっている。この揚水パイプ１９と中栓本体１６内の液体通路アと吐出パイプ２０にて外部へ吐出する液体吐出通路を形成している。２２はポット転倒時、揚水パイプ１９からの液体を吐出パイプ２０に吐出するのを阻止する止水弁である。
【００１４】
中栓本体１６は上面に漏斗状の受部２３を一体成形し、この受部２３の中央上面に中栓本体１６内の空気通路ウと連通する開口２５を穿設し、中栓本体１６の下部前方に液体通路アを形成する上部内筒１８を設け、下部後方に空気通路ウ用の外筒２６を設け、液体通路口の上面より前方に向けて液体通路口と連通した接続パイプ２７を一体成形している。下部内筒２１は上端を上部内筒１８と連通して液体通路アを形成し、下部に揚水パイプ１９の上部を嵌め込んで、中栓用下蓋１７のリブ２８にて上方に押圧されている。
【００１５】
中栓用下蓋１７は上部広口、下部細口とした筒状に形成されており、中栓本体１６の外筒２６に連結する上部広口から下部細口にかけて、外筒２６と共に空気通路ウを形成する傾斜の側壁２９としている。この中栓用下蓋１７の下部細口を透孔３０として、下部内筒２１と連通する揚水パイプ１９の周りを囲むように形成している。この透孔３０は揚水パイプ１９のの外径よりも大きく形成している。この下部内筒２１は中栓用下蓋１７と別体に成形しているが中栓用下蓋１７と一体的に成形してもよい。
【００１６】
蓋体７はヒンジピン３２を介して肩部材４のヒンジ部に揺動自在に枢支され、ロック装置のロック爪にて肩部材４に開閉自在に装着しており、ベローズポンプ２４と、このベローズポンプ２４を押し上げている第１スプリング３３と、ベローズポンプ２４の上部開口を開閉するプッシュ弁３４と、このプッシュ弁３４を押圧し、ベローズポンプ２４内の空気を内容器２内に圧送するレバー操作機構３５とを内蔵し、下面を下板３６にて覆い、下板３６の中央開口に中栓本体１６の受部２３の開口２５と連通するゴムブッシュ３７を嵌め込んでいる。
【００１７】
蓋体７は内部中空に形成されており、図１２及び図１３に示すように、上面後部に後述のレバー操作機構３５のアーム４７の回動を阻止しないように挿通口５１を形成している。この蓋体７は後部内面の挿通口５１後側にレバー操作機構３５の操作レバー４５及びレバー４４を回動自在に枢支する取付枠３８を固定している。
蓋体７の挿通口５１前面上部には後述のアーム４７の前方回動を規制するガイド片５２を設けている。３１は操作レバー４５の先端部の自由端下側に指を掛けるための指掛け窪み部である。
【００１８】
この取付枠３８は図１３に示すように、下部に蓋体７の後部内面とビス止めされる固定部３９と、この固定部３９の両側より延びて相対した二つの側枠部４０、４０と、この二つの側枠部４０、４０を上部前面で連結する連結部４１とを一体成形している。
この取付枠３８の二つの側枠部４０、４０は上部にそれぞれ相対して後述のレバー操作機構３５の操作レバー４５基端側の軸ピン５３を枢支する軸ピン用透孔４２と、この軸ピン用透孔４２の下方にレバー操作機構３５のレバー４４基端側のレバー用軸ピン５４を枢支するＬ状透孔４３とを設けている。このＬ状透孔４３はレバー用軸ピン５４を前後方向へ摺動する前後孔４３aと、この前後孔４３aの前方でレバー用軸ピン５４を上下方向へ摺動する上下孔４３bとからなっている。  ５６は後述の操作レバー用バネ４６の一端を係止めするための取付孔である。
【００１９】
ベローズポンプ２４は蛇腹部と、蛇腹部上、下端の肉厚な上板部及び下板部とにて形成されており、上板部の中央に空気供給用の上部開口を設け、下板部の中央に内部中空な空気排出用筒部を設けている。
プッシュ弁３４は上部の平板部と、平板部の下面より下方に垂設し、その先端をベローズポンプ２４の上板部の上部開口を形成する周壁下面に当接した複数の爪とを一体成形している。
第１スプリング３３は下端をベローズポンプ２４内の下板部上面に当接し、上端をプッシュ弁３４の平板部下面で爪内側に当接している。
【００２０】
レバー操作機構３５は図１３に示すように、ベローズポンプ２４を押圧する蓋体内のレバー４４と、このレバー４４を蓋体上壁外面で操作する操作レバー４５と、この操作レバー４５を収納状態に保持するように作用する操作レバー用バネ４６と、この操作レバー４５の操作状態をレバー４４に伝達する蓋体内のアーム４７と、このアーム４７を起立保持するように作用するアーム用バネ４８とからなっている。５３は操作レバー用軸ピンで、５５はアーム用軸ピンである。
【００２１】
レバー操作機構３５の操作レバー４５は図１３に示すように、先端部を自由端とし、後端部を基端側としており、この基端側を操作レバー用軸ピン５３にて取付枠３８の軸ピン用透孔４２に上下回動自在に枢支されている。この操作レバー４５は図１に示すように、後端部の基端側より前方の内壁にアーム４７の自由端を係止めする二又状に垂下した係止片６３を形成している。５７は操作レバー４５の左右両側の下部でレバー４４のピン部６０に当接してアーム４７と共にレバー４４を後方移動させる支持桿部である
【００２２】
レバー操作機構３５のレバー４４は図１３に示すように、ほぼ平板状に形成されており、後部中央にアーム４７の上下回動を阻止しないように中空孔５８を形成し、先端部を自由端とし、後端部を基端側としており、この基端側の両端外側にそれぞれレバー用軸ピン５４を設けている。このレバー用軸ピン５４は取付枠３８の二つの側枠部４０、４０間より挿入され、取付枠３８のＬ状透孔４３内を摺動自在に枢支されている。
【００２３】
レバー４４の基端側の後端部より下方に向けて操作レバー４５の基端側後端部と当接する垂下壁５９を設けている。レバー４４はレバー用軸ピン５４より前方の両側壁にそれぞれ操作レバー４５の支持桿部５７と当接するピン部６０を設けている。６１はアーム用軸ピン５５を挿入する軸孔である。
【００２４】
レバー操作機構３５のアーム４７は図１３に示すように、軸部６２が中央切欠した二又状に形成されており、この二又状の軸部６２に一本のアーム用軸ピン５５を挿入して、このアーム用軸ピン５５をレバー４４の軸孔６１に挿入している。このアーム４７は先端部を自由端としている。
アーム用バネ４８は一端をレバー４４の下壁中央に当接し、他端をアーム４７の下壁中央に当接して常時アーム４７を起立状態に維持するようにしている。
【００２５】
次に操作について説明すると、図２に示すように、操作レバー４５の収納状態であるレバー収納工程Ａから蓋体７の指掛け窪み部３１より操作レバー４５の自由端に指を掛けて、アーム４７の自由端が操作レバー４５の係止片６２間に係止されるまで押し上げ、操作レバー４５の自由端を起立する。そして図３に示すように、操作レバー４５、アーム４７、レバー４４を係合し、それぞれ連動させてベローズポンプ２４を押圧可能な状態とした押圧操作工程Ｂとする。この押圧操作工程Ｂでは図７に示すように、レバー４４のレバー用軸ピン５４は取付枠３８のＬ状透孔４３の前後孔４３a後方に位置している。
【００２６】
この押圧操作工程Ｂ中に操作レバー４５を下動操作すると、図４に示すように、アーム４７を介してレバー４４の自由端がプッシュ弁３４を押下げベローズポンプ２４を押下げて、圧縮した空気を内容器２内に圧送する操作レバー下動工程Ｃとする。この操作レバー下動工程Ｃでは図８に示すように、レバー４４のレバー用軸ピン５４は取付枠３８のＬ状透孔４３の前後孔４３a後方より前後孔４３a前方へ摺動し更に上下孔４３bを降下して上下孔４３b下端に位置している。
【００２７】
この操作レバー下動工程Ｃ後、ベローズポンプ２４内の第１スプリング３３のバネ力によって、操作レバー４５を復帰させて押圧操作工程Ｂ状態とする操作レバー復帰工程Ｄとしている。この押圧操作工程Ｂ中に操作レバー下動工程Ｃと操作レバー復帰工程Ｄとを繰り返し内容器２内の液体を外部へ吐出する。この操作レバー下動工程Ｃと操作レバー復帰工程Ｄとの繰り返しにより、レバー４４のレバー用軸ピン５４が取付枠３８のＬ状透孔４３の前後孔４３a後方より前後孔４３a前方へ摺動し更に上下孔４３bを降下して上下孔４３b下端に摺動し、次に逆方向へと摺動してこの動作を繰り返す。
【００２８】
液体の吐出が終了すると、操作レバー４５の自由端を押圧操作工程Ｂの操作レバー４５の位置よりも大きく押し上げると、操作レバー４５の基端側の後端部がレバー４４の垂下壁５９に当接し、レバー４４を前方へ摺動するレバー摺動工程Ｅと、このレバー摺動工程Ｅと同時にアーム４７の基端側も前方へ摺動し、アーム４７の基端側を蓋体７の上壁前方内へと導くアーム移動工程Ｆと、図５に示すように、アーム用バネ４８に抗してアーム４７の自由端を操作レバー４５の係止片６２間より離脱し後方へ倒伏させるアーム離脱工程Ｇとしている。このアーム離脱工程Ｇでは、図９に示すように、レバー４４のレバー用軸ピン５４は取付枠３８のＬ状透孔４３の上下孔４３b下端に位置している。
【００２９】
更に、アーム移動工程Ｆ後、蓋体７の上壁外面に操作レバー用バネ４６にて操作レバー４５を倒伏させて収納する操作レバー倒伏工程Ｈと、この操作レバー倒伏工程Ｈの操作レバー４５の支持桿部５７がレバー４４のピン部６０に当接してアーム４７と共にレバー４４を後方移動させ、操作レバー４５を収納状態に維持するレバー収納工程Ａとしている。このレバー収納工程Ａでは、図６に示すように、レバー４４のレバー用軸ピン５４は取付枠３８のＬ状透孔４３の前後孔４３a中央に位置している。
【００３０】
以上本発明の代表的と思われる実施例について説明したが、本発明は必ずしもこれらの実施例構造のみに限定されるものではなく、例えば湯沸かし、保温をする電気ポットで空気圧を利用して吐出するもののように、本発明にいう前記の構成要件を備え、かつ、本発明にいう目的を達成し、以下にいう効果を有する範囲内において適宜改変して実施することができるものである。
【００３１】
【発明の効果】
以上の説明から既に明らかなように、本発明にいうところの空気圧利用ポットのレバー操作機構は操作レバーの収納状態から操作レバーの自由端を起立し、操作レバー、アーム、レバーを係合し、連動させてベローズポンプを押圧可能な状態とする押圧操作工程と、この押圧操作工程中に、操作レバーを下動操作し、ベローズポンプを押下げる操作レバー下動工程と、操作レバーを復帰する操作レバー復帰工程と、この操作レバー復帰工程の操作レバーの自由端を押圧操作工程の操作レバーよりも大きく起立して、操作レバーの基端側端がレバーの基端側端を前方へ押圧摺動するレバー摺動工程と、このレバー摺動工程のレバーの前方移動に伴ってアームの基端側を蓋体の内側前方へ移動させるアーム移動工程と、アームを操作レバーより離脱するアーム離脱工程と、このアーム移動工程後操作レバーを収納する操作レバー倒伏工程と、この操作レバー倒伏工程の操作レバーの支持桿部がレバーのピン部に当接してアームと共にレバーを後方移動させ、操作レバーを収納状態とするレバー収納工程とからなる構成とした。又、操作レバーがその自由端の上下動のみにて各工程を操作する構成とした。更に、蓋体上面後部にアームの回動を自在とする挿通口を設けてなる構成とした。更に又、蓋体の取付枠にレバーの基端側が前後摺動自在とするＬ状透孔を設けてなる構成とした。又、操作レバーは常時倒伏状態を維持するよう取付枠に枢着の操作レバー基端側に操作レバー用バネを設けてなる構成とした。更に、操作レバーにはアームの自由端を係止する係止片を設けてなる構成とした。更に又、アームは常時起立状態を維持するようアーム基端側にアーム用バネを設けてなる構成としたものであるから、レバーの操作機構が簡単な構造となると共にレバーの起立、倒伏並びに起立、倒伏状態の維持が非常に容易かつスムーズで、しかも操作レバーの自由端を一本の指のみで上下動させて全ての操作ができるので極めて操作性よく、十分な吐出もできるという顕著な効果を期待することが出来るに至ったのである。
【図面の簡単な説明】
【図１】本発明実施例の空気圧利用ポットの縦断面図。
【図２】本発明実施例のレバー収納工程を示す一部縦概略図。
【図３】本発明実施例の押圧操作工程を示す一部縦概略図。
【図４】本発明実施例の操作レバー下動工程を示す一部縦概略図。
【図５】本発明実施例のアーム離脱工程を示す一部縦概略図
【図６】本発明実施例のレバー収納工程のレバー摺動を示す一部縦概略図。
【図７】本発明実施例の押圧操作工程のレバー摺動を示す一部縦概略図。
【図８】本発明実施例の操作レバー下動工程のレバー摺動を示す一部縦概略図。
【図９】本発明実施例のアーム離脱工程のレバー摺動を示す一部縦概略図。
【図１０】図１のイの拡大図。
【図１１】本発明実施例の中栓の拡大一部縦断面図。
【図１２】本発明実施例の要部を示す分解斜視図。
【図１３】本発明実施例のレバー操作機構を示す分解斜視図。
【符号の説明】
１  ポット
２  内容器
３  外装ケース
４  肩部材
５  底部材
６  中栓
７  蓋体
２４  ベローズポンプ
３１  指掛け窪み部
３５  レバー操作機構
３８  取付枠
４３  Ｌ状透孔
４３a  前後孔
４３b  上下孔
４４  レバー
４５  操作レバー
４６  操作レバー用バネ
４７  アーム
４８  アーム用バネ
５１  挿通口
５７  支持桿部
６０  ピン部
６３  係止片
Ａ  レバー収納工程
Ｂ  押圧操作工程
Ｃ  操作レバー下動工程
Ｄ  操作レバー復帰工程
Ｅ  レバー摺動工程
Ｆ  アーム移動工程
Ｇ  アーム離脱工程
Ｈ  操作レバー倒伏工程
【図１】
0003740297.tif 000002
【図２】
0003740297.tif 000003
【図３】
0003740297.tif 000004
【図４】
0003740297.tif 000005
【図５】
0003740297.tif 000006
【図６】
0003740297.tif 000007
【図７】
0003740297.tif 000008
【図８】
0003740297.tif 000009
【図９】
0003740297.tif 000010
【図１０】
0003740297.tif 000011
【図１１】
0003740297.tif 000012
【図１２】
0003740297.tif 000013
【図１３】
0003740297.tif 000014